【手続補正書】
【提出日】平成29年5月30日(2017.5.30)
【手続補正１】
【補正対象書類名】特許請求の範囲
【補正対象項目名】全文
【補正方法】変更
【補正の内容】
【特許請求の範囲】
【請求項１】
転送対象データを受信する無線受信部（４２Ａ）と、前記無線受信部が受信した前記転送対象データを送信する無線送信部（４２Ｂ）とを備えた無線通信装置であって、
前記無線受信部が、他の前記無線通信装置である他無線装置から受信した電波に基づいて、前記他無線装置との通信成功率を表す指標としてメトリクスを逐次演算するメトリクス演算部（Ｓ２００）と、
前記メトリクス演算部が前記メトリクスを演算したことに基づいて、前記メトリクスを前記他無線装置に対応させたメトリクステーブルにおいて、前記無線受信部が受信した前記電波を送信した前記他無線装置に対応するメトリクスを、前記メトリクス演算部が演算した前記メトリクスに更新するテーブル更新部（Ｓ３００）と、
前記無線受信部が前記転送対象データを受信した場合に、前記メトリクステーブルに含まれている前記メトリクスに対して、それぞれ、通信成功率が高いことを示す良好通信範囲内にあるか否かを判断し、前記良好通信範囲内にある前記メトリクスの数が、予め設定された転送実行範囲内の数であることに基づいて、前記転送対象データを前記無線送信部から送信する一方、前記良好通信範囲内にある前記メトリクスの数が、前記転送実行範囲外の数であることに基づいて、前記転送対象データを前記無線送信部から送信しない転送制御部（Ｓ６００、Ｓ６００Ａ）と、を含み、
前記転送実行範囲は上限値が設定されていることを特徴とする無線通信装置。
【請求項２】
請求項１において、
前記転送実行範囲は、下限値が、２以上の数に設定されていることを特徴とする無線通信装置。
【請求項３】
請求項１または２において、
前記転送対象データが複数種類あり、
前記転送制御部が前記無線送信部から送信した前記転送対象データを特定するデータ特定情報を記憶部に記憶する転送データ記憶処理部（Ｓ８００）を備え、
前記転送制御部（Ｓ６００Ａ）は、前記記憶部に、前記無線受信部が受信した前記転送対象データに対応する前記データ特定情報が記憶されているか否かに基づいて、前記無線受信部が受信した前記転送対象データを、前記無線送信部から送信するか否かを決定することを特徴とする無線通信装置。
【請求項４】
請求項３において、
前記転送対象データが転送されて、転送された前記転送対象データが前記無線通信装置により受信された場合に、前記無線通信装置までのデータ転送経路に対する前記メトリクスの合計値を予測した値であるプレトータルメトリクスが、前記転送対象データに付加されて前記他無線装置から送信され、
前記無線受信部は、前記転送対象データとともに前記プレトータルメトリクスを受信し、
前記無線受信部が受信した前記プレトータルメトリクスと、前記メトリクステーブルに含まれている前記メトリクスとに基づいて、前記無線受信部が受信した前記プレトータルメトリクスを更新するプレトータルメトリクス更新部（Ｓ５１０）と、
前記転送制御部が前記転送対象データを前記無線送信部から送信するごとに、前記プレトータルメトリクス更新部が更新した前記プレトータルメトリクスを、前記データ特定情報に関連付けて前記記憶部に記憶するプレトータルメトリクス記憶処理部（Ｓ９００）とを備え、
前記転送制御部は、前記無線受信部が受信した前記転送対象データに対応する前記データ特定情報が前記記憶部に記憶されている場合、前記プレトータルメトリクス更新部が更新した前記プレトータルメトリクスが、前記プレトータルメトリクスが更新される前に前記記憶部に記憶されている前記プレトータルメトリクスよりも、前記通信成功率が高いことを意味する値であることに基づいて、前記転送対象データを前記無線送信部から送信することを特徴とする無線通信装置。
【請求項５】
転送対象データを受信する無線受信部（４２Ａ）と、前記無線受信部が受信した前記転送対象データを送信する無線送信部（４２Ｂ）とを備えた無線通信装置であって、
前記無線受信部が、他の前記無線通信装置である他無線装置から受信した電波に基づいて、前記他無線装置との通信成功率を表す指標としてメトリクスを逐次演算するメトリクス演算部（Ｓ２００）と、
前記メトリクス演算部が前記メトリクスを演算したことに基づいて、前記メトリクスを前記他無線装置に対応させたメトリクステーブルにおいて、前記無線受信部が受信した前記電波を送信した前記他無線装置に対応するメトリクスを、前記メトリクス演算部が演算した前記メトリクスに更新するテーブル更新部（Ｓ３００）と、
前記無線受信部が前記転送対象データを受信した場合に、前記メトリクステーブルに含まれている前記メトリクスに対して、それぞれ、通信成功率が高いことを示す良好通信範囲内にあるか否かを判断し、前記良好通信範囲内にある前記メトリクスの数が、予め設定された転送実行範囲内の数であることに基づいて、前記転送対象データを前記無線送信部から送信する一方、前記良好通信範囲内にある前記メトリクスの数が、前記転送実行範囲外の数であることに基づいて、前記転送対象データを前記無線送信部から送信しない転送制御部（Ｓ６００、Ｓ６００Ａ）と、を含み、
前記転送対象データが複数種類あり、
前記転送制御部が前記無線送信部から送信した前記転送対象データを特定するデータ特定情報を記憶部に記憶する転送データ記憶処理部（Ｓ８００）を備え、
前記転送制御部（Ｓ６００Ａ）は、前記記憶部に、前記無線受信部が受信した前記転送対象データに対応する前記データ特定情報が記憶されているか否かに基づいて、前記無線受信部が受信した前記転送対象データを、前記無線送信部から送信するか否かを決定し、
前記転送対象データが転送されて、転送された前記転送対象データが前記無線通信装置により受信された場合に、前記無線通信装置までのデータ転送経路に対する前記メトリクスの合計値を予測した値であるプレトータルメトリクスが、前記転送対象データに付加されて前記他無線装置から送信され、
前記無線受信部は、前記転送対象データとともに前記プレトータルメトリクスを受信し、
前記無線受信部が受信した前記プレトータルメトリクスと、前記メトリクステーブルに含まれている前記メトリクスとに基づいて、前記無線受信部が受信した前記プレトータルメトリクスを更新するプレトータルメトリクス更新部（Ｓ５１０）と、
前記転送制御部が前記転送対象データを前記無線送信部から送信するごとに、前記プレトータルメトリクス更新部が更新した前記プレトータルメトリクスを、前記データ特定情報に関連付けて前記記憶部に記憶するプレトータルメトリクス記憶処理部（Ｓ９００）とを備え、
前記転送制御部は、前記無線受信部が受信した前記転送対象データに対応する前記データ特定情報が前記記憶部に記憶されている場合、前記プレトータルメトリクス更新部が更新した前記プレトータルメトリクスが、前記プレトータルメトリクスが更新される前に前記記憶部に記憶されている前記プレトータルメトリクスよりも、前記通信成功率が高いことを意味する値であることに基づいて、前記転送対象データを前記無線送信部から送信することを特徴とする無線通信装置。
【請求項６】
請求項５において、
前記転送実行範囲は、下限値が、２以上の数に設定されていることを特徴とする無線通信装置。
【請求項７】
請求項５または６において、
前記転送実行範囲は上限値が設定されていることを特徴とする無線通信装置。
【請求項８】
請求項４〜７のいずれか１項において、
前記プレトータルメトリクス更新部は、前記無線受信部が受信した前記プレトータルメトリクスと、前記メトリクステーブルに含まれている前記メトリクスの中で、前記良好通信範囲内である前記メトリクスのうち、最も前記通信成功率が低いことを意味する前記メトリクスとに基づいて、前記無線受信部が受信した前記プレトータルメトリクスを更新することを特徴とする無線通信装置。
【請求項９】
請求項３〜８のいずれか１項において、
前記他無線装置が転送した前記転送対象データが、前記転送対象データの何回目の転送であるかを表すホップ回数が、前記転送対象データに付加されて前記他無線装置から送信され、
前記無線受信部は、前記転送対象データとともに前記ホップ回数を受信し、
前記転送制御部が前記転送対象データを前記無線送信部から送信する場合に、前記無線受信部が受信した前記ホップ回数を更新し、更新した前記ホップ回数を、前記データ特定情報に関連づけて前記記憶部に記憶するホップ回数記憶処理部（Ｓ１０００）を備え、
前記転送制御部は、前記無線受信部が受信した前記転送対象データに対応する前記データ特定情報が前記記憶部に記憶されている場合、前記ホップ回数記憶処理部が更新した前記ホップ回数が、前記ホップ回数が更新される前に前記憶部に記憶されている前記ホップ回数より、前記ホップ回数が少ないことを示していることに基づいて、前記転送対象データを前記無線送信部から送信することを特徴とする無線通信装置。
【請求項１０】
請求項３において、
前記転送制御部は、前記無線受信部が受信した前記転送対象データに対応する前記データ特定情報が前記記憶部に記憶されている場合、前記転送対象データを前記無線送信部から送信せず、前記無線受信部が受信した前記転送対象データに対応する前記データ特定情報が前記記憶部に記憶されていない場合、前記転送対象データを前記無線送信部から送信することを特徴とする無線通信装置。
【請求項１１】
請求項１〜１０のいずれか１項において、
前記無線通信装置および前記他無線装置が、互いに異なる車両で用いられ、
前記転送制御部は、前記無線受信部が前記他無線装置から前記転送対象データを受信した場合に、前記他無線装置が前記無線通信装置の進行方向前方に存在しているか否かを判断し、前記他無線装置が前記無線通信装置の進行方向前方に存在していないと判断したことに基づいて、前記転送対象データを前記無線送信部から送信しないことを特徴とする無線通信装置。
【請求項１２】
請求項１〜１０のいずれか１項において、
前記無線通信装置および前記他無線装置が、互いに異なる車両で用いられ、
前記テーブル更新部は、前記無線受信部が前記他無線装置から前記転送対象データを受信した場合に、前記他無線装置が前記無線通信装置の進行方向前方に存在しているか否かを判断し、前記他無線装置が前記無線通信装置の進行方向前方に存在していないと判断した場合、無線受信部が前記他無線装置から受信した前記転送対象データに基づいた前記メトリクステーブルの更新を行わないことを特徴とする無線通信装置。
【請求項１３】
請求項１〜１２のいずれか１項において、
前記メトリクス演算部は、前記他無線装置から受信した電波の最終受信時刻、電波強度、前記他無線装置と前記無線通信装置までの距離の少なくとも１つを用いて前記メトリクスを演算することを特徴とする無線通信装置。
【請求項１４】
請求項１３において、
前記メトリクス演算部は、前記他無線装置から受信した電波の最終受信時刻を用いて前記メトリクスを演算することを特徴とする無線通信装置。
【請求項１５】
転送対象データを受信する無線受信部（４２Ａ）と、前記無線受信部が受信した前記転送対象データを送信する無線送信部（４２Ｂ）とを備えた無線通信装置であって、
前記無線受信部が、他の前記無線通信装置である他無線装置から受信した電波に基づいて、前記他無線装置との通信成功率を表す指標としてメトリクスを逐次演算するメトリクス演算部（Ｓ２００）と、
前記メトリクス演算部が前記メトリクスを演算したことに基づいて、前記メトリクスを前記他無線装置に対応させたメトリクステーブルにおいて、前記無線受信部が受信した前記電波を送信した前記他無線装置に対応するメトリクスを、前記メトリクス演算部が演算した前記メトリクスに更新するテーブル更新部（Ｓ３００）と、
前記無線受信部が前記転送対象データを受信した場合に、前記メトリクステーブルに含まれている前記メトリクスに対して、それぞれ、通信成功率が高いことを示す良好通信範囲内にあるか否かを判断し、前記良好通信範囲内にある前記メトリクスの数が、予め設定された転送実行範囲内の数であることに基づいて、前記転送対象データを前記無線送信部から送信する一方、前記良好通信範囲内にある前記メトリクスの数が、前記転送実行範囲外の数であることに基づいて、前記転送対象データを前記無線送信部から送信しない転送制御部（Ｓ６００、Ｓ６００Ａ）と、を含み、
前記メトリクス演算部は、前記他無線装置から受信した電波の最終受信時刻を用いて前記メトリクスを演算することを特徴とする無線通信装置。
【手続補正２】
【補正対象書類名】明細書
【補正対象項目名】０００７
【補正方法】変更
【補正の内容】
【０００７】
上記目的を達成するための第１発明は、転送対象データを受信する無線受信部（４２Ａ）と、無線受信部が受信した転送対象データを送信する無線送信部（４２Ｂ）とを備えた無線通信装置であって、
無線受信部が、他の無線通信装置である他無線装置から受信した電波に基づいて、他無線装置との通信成功率を表す指標としてメトリクスを逐次演算するメトリクス演算部（Ｓ２００）と、
メトリクス演算部がメトリクスを演算したことに基づいて、メトリクスを他無線装置に対応させたメトリクステーブルにおいて、無線受信部が受信した電波を送信した他無線装置に対応するメトリクスを、メトリクス演算部が演算したメトリクスに更新するテーブル更新部（Ｓ３００）と、
無線受信部が転送対象データを受信した場合に、メトリクステーブルに含まれているメトリクスに対して、それぞれ、通信成功率が高いことを示す良好通信範囲内にあるか否かを判断し、良好通信範囲内にあるメトリクスの数が、予め設定された転送実行範囲内の数であることに基づいて、転送対象データを無線送信部から送信する一方、良好通信範囲内にあるメトリクスの数が、転送実行範囲外の数であることに基づいて、転送対象データを無線送信部から送信しない転送制御部（Ｓ６００、Ｓ６００Ａ）と、を含み、転送実行範囲は上限値が設定されていることを特徴とする。
第２発明は、転送対象データを受信する無線受信部（４２Ａ）と、無線受信部が受信した転送対象データを送信する無線送信部（４２Ｂ）とを備えた無線通信装置であって、
無線受信部が、他の無線通信装置である他無線装置から受信した電波に基づいて、他無線装置との通信成功率を表す指標としてメトリクスを逐次演算するメトリクス演算部（Ｓ２００）と、
メトリクス演算部がメトリクスを演算したことに基づいて、メトリクスを他無線装置に対応させたメトリクステーブルにおいて、無線受信部が受信した電波を送信した他無線装置に対応するメトリクスを、メトリクス演算部が演算したメトリクスに更新するテーブル更新部（Ｓ３００）と、
無線受信部が転送対象データを受信した場合に、メトリクステーブルに含まれているメトリクスに対して、それぞれ、通信成功率が高いことを示す良好通信範囲内にあるか否かを判断し、良好通信範囲内にあるメトリクスの数が、予め設定された転送実行範囲内の数であることに基づいて、転送対象データを無線送信部から送信する一方、良好通信範囲内にあるメトリクスの数が、転送実行範囲外の数であることに基づいて、転送対象データを無線送信部から送信しない転送制御部（Ｓ６００、Ｓ６００Ａ）と、を含み、
転送対象データが複数種類あり、
転送制御部が無線送信部から送信した転送対象データを特定するデータ特定情報を記憶部に記憶する転送データ記憶処理部（Ｓ８００）を備え、
転送制御部（Ｓ６００Ａ）は、記憶部に、無線受信部が受信した転送対象データに対応するデータ特定情報が記憶されているか否かに基づいて、無線受信部が受信した転送対象データを、無線送信部から送信するか否かを決定し、
転送対象データが転送されて、転送された転送対象データが無線通信装置により受信された場合に、無線通信装置までのデータ転送経路に対するメトリクスの合計値を予測した値であるプレトータルメトリクスが、転送対象データに付加されて他無線装置から送信され、
無線受信部は、転送対象データとともにプレトータルメトリクスを受信し、
無線受信部が受信したプレトータルメトリクスと、メトリクステーブルに含まれているメトリクスとに基づいて、無線受信部が受信したプレトータルメトリクスを更新するプレトータルメトリクス更新部（Ｓ５１０）と、
転送制御部が転送対象データを無線送信部から送信するごとに、プレトータルメトリクス更新部が更新したプレトータルメトリクスを、データ特定情報に関連付けて記憶部に記憶するプレトータルメトリクス記憶処理部（Ｓ９００）とを備え、
転送制御部は、無線受信部が受信した転送対象データに対応するデータ特定情報が記憶部に記憶されている場合、プレトータルメトリクス更新部が更新したプレトータルメトリクスが、プレトータルメトリクスが更新される前に記憶部に記憶されているプレトータルメトリクスよりも、通信成功率が高いことを意味する値であることに基づいて、転送対象データを無線送信部から送信することを特徴とする。
第３発明は、転送対象データを受信する無線受信部（４２Ａ）と、無線受信部が受信した転送対象データを送信する無線送信部（４２Ｂ）とを備えた無線通信装置であって、
無線受信部が、他の無線通信装置である他無線装置から受信した電波に基づいて、他無線装置との通信成功率を表す指標としてメトリクスを逐次演算するメトリクス演算部（Ｓ２００）と、
メトリクス演算部がメトリクスを演算したことに基づいて、メトリクスを他無線装置に対応させたメトリクステーブルにおいて、無線受信部が受信した電波を送信した他無線装置に対応するメトリクスを、メトリクス演算部が演算したメトリクスに更新するテーブル更新部（Ｓ３００）と、
無線受信部が転送対象データを受信した場合に、メトリクステーブルに含まれているメトリクスに対して、それぞれ、通信成功率が高いことを示す良好通信範囲内にあるか否かを判断し、良好通信範囲内にあるメトリクスの数が、予め設定された転送実行範囲内の数であることに基づいて、転送対象データを無線送信部から送信する一方、良好通信範囲内にあるメトリクスの数が、転送実行範囲外の数であることに基づいて、転送対象データを無線送信部から送信しない転送制御部（Ｓ６００、Ｓ６００Ａ）と、を含み、
メトリクス演算部は、他無線装置から受信した電波の最終受信時刻を用いてメトリクスを演算することを特徴とする。